(57)【要約】      （修正有）【課題】単体のシステムである二元冷凍サイクル装置のみで、第１利用側と第２利用側へ異なる温度態の温湯を効率よく供給できるようにする。【解決手段】二元冷凍サイクル装置は、高温側冷媒配管で接続された低温側圧縮機１ａと、熱源側熱交換器３を有する低温側冷凍サイクル６ａを備え、高温側冷媒配管で接続された、高温側圧縮機１ｂと、第１利用側熱交換器７を有する高温側冷凍サイクル６ｂを備えている。低温側冷媒配管と高温側冷媒配管には、低温側冷媒と高温側冷媒とを熱交換可能とする中間熱交換器５が設けられ、低温側冷媒配管に中間熱交換器に対して並列に接続された第２利用側熱交換器８が設けられており、第２利用側熱交換器と中間熱交換器へ供給される低温側冷媒の流量を制御する流量制御手段が備えられている。【選択図】図１
2012215354.tif 000002
【特許請求の範囲】
【請求項１】
内部に低温側冷媒が流通する低温側冷媒配管で接続され、低温側冷媒を圧縮する低温側圧縮機と、外部熱源から熱を吸収する熱源側熱交換器と、を有する低温側冷凍サイクルと、
内部に高温側冷媒が流通する高温側冷媒配管で接続された、高温側冷媒を圧縮する高温側圧縮機と、高温側冷媒の熱を第１熱利用側機器へ供給する第１利用側熱交換器と、を有する高温側冷凍サイクルと、
前記低温側冷媒配管と前記高温側冷媒配管に接続され、前記低温側冷媒と前記高温側冷媒とを熱交換可能する中間熱交換器と、
前記低温側冷媒配管の前記中間熱交換器に対して並列に接続され、前記低温側冷媒の熱を第２熱利用機器へ供給する第２利用側熱交換器と、
前記第２利用側熱交換器と前記中間熱交換器へ供給される低温側冷媒の流量を制御する流量制御手段を備えたことを特徴とする二元冷凍サイクル装置。
【請求項２】
前記中間熱交換器と前記第２利用側熱交換器は、
前記低温側圧縮機と前記中間熱交換器との間に設けられた第１分岐部と、前記中間熱交換器と前記熱源側熱交換器の間に設けられた第２分岐部とによって並列に接続されており、
前記第２分岐部と前記中間熱交換器との間に設けられた第１低温側膨張装置と、
前記第２分岐部と前記第２利用側熱交換器との間に設けられた第２低温側膨張装置とを有しており、
前記流量制御手段は、前記第１低温側膨張装置と、前記第２低温側膨張装置の開度によって前記中間熱交換器及び前記第２利用側熱交換器に流入する低温側冷媒の流量を制御することを特徴とする請求項１に記載の二元冷凍サイクル装置。
【請求項３】
前記熱源側熱交換器を収容する熱源側筐体と、前記第１利用側熱交換器を収容する利用側筐体を備えたことを特徴とする請求項１に記載の二元冷凍サイクル装置。 
【発明の詳細な説明】
【技術分野】
【０００１】
本発明の実施の形態は、二元冷凍サイクル装置に関する。
【背景技術】
【０００２】
空気調和機やヒートポンプ給湯機などの冷凍サイクル装置には、利用側の熱量を大きくするために低温側冷凍サイクルと高温側冷凍サイクルを備えた二元冷凍サイクル装置が用いられることがある。
二元冷凍サイクル装置の低温側冷凍サイクルと高温側冷凍サイクルは、それぞれ圧縮機や膨張装置を有しており、中間熱交換器によって熱交換可能に接続されている。そして、低温側冷凍サイクルに設けられた低温側蒸発器である低温側熱交換器から汲み上げた熱を、高温側冷凍サイクルに設けられた高温側凝縮器である利用側熱交換器を介して、より高い熱量が熱利用機器へ供給される。
【先行技術文献】
【特許文献】
【０００３】
【特許文献１】特開２００４−１３２６４７号公報
【発明の概要】
【発明が解決しようとする課題】
【０００４】
しかし、上記のような二元冷凍サイクル装置は、高温側冷凍サイクルの利用側熱交換器からのみしか熱が得られないため、複数温度の温湯を得る場合や、利用側が複数の熱源を必要とするシステムにおいて、別の冷凍サイクル装置を設ける必要があり、コストや設置スペースが大きくなる問題がある。
【課題を解決するための手段】
【０００５】
本発明は上記問題を解決するためになされたものであり、本発明の実施形態二元冷凍サイクル装置は、低温側冷媒配管で接続され、低温側冷媒を圧縮する低温側圧縮機と、外部熱源から熱を吸収する熱源側熱交換器を有する低温側冷凍サイクルを備え、高温側冷媒配管で接続された、高温側冷媒を圧縮する高温側圧縮機と、高温側冷媒の熱を第１熱利用側機器へ供給する第１利用側熱交換器を有する高温側冷凍サイクルを備えている。
また、低温側冷媒配管と高温側冷媒配管には、低温側冷媒と高温側冷媒とを熱交換可能とする中間熱交換器が設けられ、低温側冷媒配管に中間熱交換器に対して並列に接続された第２利用側熱交換器が設けられている。第２利用側熱交換器と中間熱交換器へ供給される低温側冷媒の流量を制御する流量制御手段が備えられている。
【図面の簡単な説明】
【０００６】
【図１】本発明の第１の実施形態に係る二元冷凍サイクル装置の概略図。
【図２】本発明の第２の実施形態に係る二元冷凍サイクル装置の概略図。
【図３】本発明の第３の実施形態に係る二元冷凍サイクル装置の概略図。
【図４】本発明の第３の実施形態に係る二元冷凍サイクル装置のその他の概略図。
【図５】本発明の第３の実施形態に係る二元冷凍サイクル装置のその他の概略図。
【発明を実施するための形態】
【０００７】
図面を用いて本発明の実施形態について説明を行う。
（第１の実施形態）
図１に第１の実施形態に係る二元冷凍サイクル装置１００の概略図を示す。
二元冷凍サイクル装置１００は、内部に低温側冷媒が流動する低温側冷凍サイクル６ａと内部に高温側冷媒が流動する高温側冷凍サイクル６ｂと、低温側冷媒と高温側冷媒とが熱交換する中間熱交換器５とを有している。
低温側冷凍サイクル６ａには、低温側冷媒を圧縮する低温側圧縮機１ａと、中間熱交換器５の低温側と、低温側膨張装置４ａと、外部熱源である室外空気と熱交換する熱源側熱交換器３とが備えられており、低温側圧縮機１ａで圧縮された低温側冷媒が順次流動するように、低温側冷媒配管１９ａを介して接続されている。
高温側冷凍サイクル６ｂには、高温側圧縮機１ｂと、第１利用側熱交換器７と、高温側膨張装置４ｂと、中間熱交換器５の高温側とが設けられており、高温側圧縮機１ｂで圧縮された高温側冷媒が順次流動するように、高温側冷媒配管１９ｂを介して接続されている。
さらに、低温側冷凍サイクル６ｂには、中間熱交換器５と低温側圧縮機１ａとの間に第１分岐部２１ａが設けられているとともに、中間熱交換器５と低温側膨張装置４ａとの間に第２分岐部２１ｂが設けられており、第１分岐部２１ａ及び第２分岐部２１ｂ間には、中間熱交換器５に対して並列に、第２利用側熱交換器８が接続されている。
また、低温側冷媒配管１９ａの中間熱交換器５と第２分岐部２１ｂの間には中間熱交換器冷媒流量制御バルブ１２ａが設けられており、第２利用側熱交換器８と第２分岐部２１ｂの間には第２利用側熱交換器冷媒流量制御バルブ１２ｂが接続されている。
熱源側熱交換器３には送風機１１が設けられており、室外空気との熱交換を促進させるようになっている。
【０００８】
低温側冷凍サイクル６ａと高温側冷凍サイクル６ｂには、それぞれ特性の異なる冷媒が封入されている。
封入される冷媒の種類は二元冷凍サイクル装置１００の用途によって異なるが、例えば、第１利用側熱交換器７を水熱交換器とし９０℃近い湯を生成するための高温ヒートポンプ給湯機である場合、低温側冷凍サイクル６ａに使用される低温側冷媒に、R４１０Ａのような低外気温（―１５℃程度）においても良好な性能を有する作動冷媒が好ましく、高温側冷凍サイクル６ｂに用いられる高温側冷媒にはR１３４ａのような高温（９５℃程度）において良好な性能を有する作動冷媒が好ましい。
【０００９】
低温側冷凍サイクル６ａに封入されている低温側冷媒と、高温側冷凍サイクル６ｂに封入されている高温側冷媒は、それぞれ低温側冷媒配管６ａと高温側冷媒配管６ｂを介して中間熱交換器５内に流入し熱交換する。
【００１０】
第１利用側熱交換器７には、生成された高温の温湯を一時的に貯湯しておくための第１利用側貯湯タンク９が、第１利用側流体配管１０を介して接続されている。
第１利用側流体配管１０には送流ポンプ１５が設けられており、第１利用側熱交換器７内で凝縮する高温側冷媒と熱交換し、過熱された高温の温湯を第１利用側貯湯タンク９へ送流するようになっている。
また、第２利用側熱交換器８には、生成された低温の温湯を一時的に貯湯しておくための第２利用側貯湯タンク１３が、第２利用側流体配管１４を介して接続されている。
第２利用側流体配管１４には送流ポンプ１５が設けられており、第２利用側熱交換器８内で凝縮する低温側冷媒と熱交換し、過熱された温湯を第２利用側貯湯タンク１３へ送流するようになっている。
【００１１】
二元冷凍サイクル装置１００には、装置の運転を制御するための運転制御手段である制御器２３が設けられている。制御器２３は、低温側圧縮機１ａ及び高温側圧縮機１ｂを駆動する図示しないインバータ回路の出力周波数と、低温側膨張装置４ａ及び高温側膨張装置４ｂの開度と、中間熱交換器冷媒流量制御バルブ１２ａ及び第２利用側熱交換器冷媒流量制御バルブ１２ｂの開度を制御する。中間熱交換器冷媒流量制御バルブ１２ａ及び第２利用側熱交換器冷媒流量制御バルブ１２ｂは制御器２３に制御されることで、冷媒流れを制御する流量制御手段として機能する。
これらインバータ回路及び制御器２３によって、低温側冷凍サイクル６ａと高温側冷凍サイクル６ｂは最適な運転条件で制御される。
【００１２】
第１利用側で高温の温湯を利用し、第２利用側を利用しない場合、二元冷凍サイクル装置１００の冷媒の流れは図１の実線矢印のようになる。
制御器２３の指令により、中間熱交換器冷媒流量制御バルブ１２ａが開放され、第２利用側熱交換器冷媒流量制御バルブ１２ｂが閉鎖される。
そして、図示しないインバータ装置から低温側圧縮機１ａ及び高温側圧縮機１ｂに電力が供給され、それぞれが低温側冷媒及び高温側冷媒を圧縮する。低温側膨張装置４ａ及び高温側膨張装置４ｂの開度が調節され、低温側冷凍サイクル６ａと高温側冷凍サイクル６ｂが運転される。
低温側冷凍サイクル６ａでは、低温側圧縮機１ａから、吐出された低温側冷媒が中間熱交換器５の低温側、低温側膨張装置４ａ及び熱源側熱交換器３を順次通過し、低温側圧縮機１ａへと戻る。
同様に高温側冷凍サイクル６ｂでは、高温側圧縮機１ｂで圧縮された高温側冷媒が、第１利用側熱交換器７、高温側膨張装置４ｂ及び中間熱交換器５の高温側を順次通過し、高温側圧縮機１ｂへと戻る。
このとき、低温側冷媒は熱源側熱交換器３で蒸発し、中間熱交換器５の低温側で凝縮する。また、高温側冷媒は第１利用側熱交換器７において凝縮し、利用側である利用側配管１０内を流動する水に温熱を供給する。中間熱交換器５の高温側では高温側膨張装置４ｂによって減圧された液状の冷媒が蒸発し、蒸発熱として低温側冷媒の凝縮熱を吸収する。
【００１３】
次に、第１利用側熱交換器７で高温の温湯を生成し、第２利用側熱交換器８で低温の温湯を生成する場合、二元冷凍サイクル装置１００の冷媒の流れは図１の実線矢印及び破線矢印のようになる。
制御器２３の指令により、中間熱交換器冷媒流量制御バルブ１２ａと第２利用側熱交換器冷媒流量制御バルブ１２ｂが開放される。ここで、中間熱交換器冷媒流量制御バルブ１２ａと第２利用側熱交換器冷媒流量制御バルブ１２ｂのそれぞれの開度は、第２利用側機器の必要とする熱量に応じて変更される。
そして、図示しないインバータ装置から低温側圧縮機１ａ及び高温側圧縮機１ｂに電力が供給され、それぞれが低温側冷媒及び高温側冷媒を圧縮する。低温側膨張装置４ａ及び高温側膨張装置４ｂの開度が調節され、低温側冷凍サイクル６ａと高温側冷凍サイクル６ｂが運転される。
低温側冷凍サイクル６ａでは、低温側圧縮機１ａから圧縮された低温側冷媒が中間熱交換器５の低温側と第２利用側熱交換器８、低温側膨張装置４ａ及び熱源側熱交換器３を順次通過し、低温側圧縮機１ａへと戻る。
同様に高温側冷凍サイクル６ｂでは、高温側圧縮機１ｂで圧縮された高温側冷媒が、第１利用側熱交換器７、高温側膨張装置４ｂ及び中間熱交換器５の高温側を順次通過し、高温側圧縮機１ｂへと戻る。
このとき、中間熱交換器５の低温側と第２利用側熱交換器８に流入した高温高圧の低温側冷媒は凝縮し、中間熱交換器５の高温側を流動する高温側冷媒及び、第２利用側熱交換器８内を流動する。そして、中間熱交換器５の高温側では高温側膨張装置４ｂによって減圧された液状の冷媒が蒸発し、蒸発熱として低温側冷媒の凝縮熱を吸収する。また、第２利用側熱交換器８へ流入した水へ凝縮熱を供給し温湯を生成する。
そして、低温側冷媒は熱源側熱交換器３で蒸発し、送風機１１によって送風された室外空気と熱交換する。また、高温側冷媒は第１利用側熱交換器７において凝縮し、第１利用側熱交換器７内を流動する水に温熱を供給し高温の温湯を生成する。
【００１４】
さらに、第１利用側で高温の温湯を利用せず、第２利用側で低温の温湯のみを利用する場合、二元冷凍サイクル装置１００のそれぞれの冷媒の流れは図１の破線矢印のようになる。
制御器２３の指令により、中間熱交換器冷媒流量制御バルブ１２ａが閉鎖され、第２利用側熱交換器冷媒流量制御バルブ１２ｂが開放される。ここで、中間熱交換器冷媒流量制御バルブ１２ａは閉鎖され、第２利用側熱交換器冷媒流量制御バルブ１２ｂは開放される。
そして、図示しないインバータ装置から低温側圧縮機１ａに圧縮機の運転周波数電流が供給され、低温側冷媒が圧縮され、低温側膨張装置４ａの開度が調節され、低温側冷凍サイクル６ａが運転される。また、インバータ装置からの高温側圧縮機１ｂへの運転周波数電流は供給されず、高温側冷凍サイクル６ｂの運転は停止される。
低温側冷凍サイクル６ａでは、低温側圧縮機１ａから、中間熱交換器５の低温側、低温側膨張装置４ａ及び熱源側熱交換器３を順次通過し、低温側圧縮機１ａへと戻る。
このとき、低温側冷媒は熱源側熱交換器３で蒸発し、蒸発熱として熱源である外気から熱を吸収し、第２利用側熱交換器７内で凝縮し、凝縮熱として利用側流体へ温熱を供給する。
【００１５】
上記のように二元冷凍サイクル装置１００を構成し、運転制御することで、単体のシステムである二元冷凍サイクル装置１００のみで、第１利用側と第２利用側へ異なる温度態の温湯を効率よく供給することができる。
【００１６】
（第２の実施形態）
本第２の実施形態に係る二元冷凍サイクル装置１００は、図２に示すように、第１の実施形態の二元冷凍サイクル装置１００同様に低温側冷凍サイクル６ａと高温側冷凍サイクル６ｂを備えている。
第１の実施形態の冷凍サイクル装置１００と異なり、中間熱交換器冷媒流量制御バルブ１２ａと第２利用側熱交換器冷媒流量制御バルブ１２ｂを有しておらず、以下に第２の実施形態の二元冷凍サイクル装置１００特有の構成について詳述する。
本実施形態の二元冷凍サイクル装置１００において、第２分岐部２１ｂは、中間熱交換器５と熱源側熱交換器３との間に設けられており、第２利用側熱交換器８に接続されている。低温側冷媒配管１９ａの中間熱交換器５と第２分岐部２１ｂの間には低温側第１膨張装置４ｃが設けられており、第２利用側熱交換器８と第２分岐部２１ｂの間には第２低温側膨張装置４ｄが設けられている。第１低温側膨張装置４ｃ及び第２低温側膨張装置４ｄは、開閉可能又は絞り量が調整可能な電動膨張弁を用いられる。
制御器２３によって、低温側圧縮機１ａ及び高温側圧縮機１ｂを駆動するインバータ回路から供給される電力と、第１、第２低温側膨張装置４ｃ、４ｄ及び高温側膨張装置４ｂの開度が制御される。インバータ回路及び制御器２３によって、低温側冷凍サイクル６ａと高温側冷凍サイクル６ｂは最適な運転条件で制御される。また、第１低温側膨張装置４ｃ及び第２低温側膨張装置４ｄの開度が制御器２３に制御されることで、中間熱交換器５及び第２利用側熱交換器８へ流入される低温側冷媒の流量を制御する流量制御手段として機能する。
【００１７】
上記のように構成された二元冷凍サイクル装置１００について、第１利用側で高温の温湯を利用し、第２利用側で低温の温湯を利用する場合の運転について、低温側冷媒及び高温側冷媒の流れを図２の実線矢印及び破線矢印に示す。
上記のように構成された二元冷凍サイクル装置１００について、第１利用側で高温の温湯を利用し、第２利用側で低温の温湯を利用しない場合、低温側冷媒及び高温側冷媒の流れは図２の実線矢印のようになる。
制御器２３の指令により、第１低温側膨張装置４ｃが開放され、第２低温側膨張装置４ｄは閉鎖される。そして、図示しないインバータ装置から低温側圧縮機１ａ及び高温側圧縮機１ｂに圧縮機の運転周波数電流が供給され、低温側冷媒及び高温側冷媒を圧縮する。制御器２３は、第２低温側膨張装置４ｄを閉塞し、第１低温側膨張装置４ｃ及び高温側膨張装置４ｂの開度を調節する。
これにより、低温側冷凍サイクル６ａでは、低温側圧縮機１ａから、中間熱交換器５の低温側、第１低温側膨張装置４ｃ及び熱源側熱交換器３を順次通過し、低温側圧縮機１ａへと戻る。
同様に高温側冷凍サイクル６ｂでは、高温側圧縮機１ｂで圧縮された高温側冷媒が、利用側熱交換器７、高温側膨張装置４ｂ及び中間熱交換器５の高温側を順次通過し、高温側圧縮機１ｂへと戻る。
このとき、低温側冷媒は熱源側熱交換器３で蒸発し中間熱交換器５の低温側で凝縮する。また、高温側冷媒は利用側熱交換器７において凝縮し、利用側である利用側配管１０内を流動する水に温熱を供給して高温の温湯が生成される。中間熱交換器５の高温側では高温側膨張装置４ｂによって減圧された液状の冷媒が蒸発し、蒸発熱として低温側冷媒の凝縮熱を吸収する。
【００１８】
第１利用側で高温の温湯を利用し、第２利用側で低温の温湯を利用する場合の運転について、二元冷凍サイクル装置１００の冷媒の流れは図２の実線矢印及び破線矢印のようになる。
制御器２３の指令により、第１低温側膨張装置４ｃと第２低温側膨張装置４ｄが開放され、中間熱交換器５と低温側熱交換器８に低温側冷媒が流入するようになる。ここで、第１低温側膨張装置４ｃと第２低温側膨張装置４ｄの開度は必要に応じて、制御器２３により調整される。
そして、図示しないインバータ装置から低温側圧縮機１ａ及び高温側圧縮機１ｂに電力が供給され、低温側冷媒及び高温側冷媒を圧縮する。第１低温側膨張装置４ｃと第２低温側膨張装置４ｄ及び高温側膨張装置４ｂの開度が調節され、低温側冷凍サイクル６ａと高温側冷凍サイクル６ｂが運転する。
低温側冷凍サイクル６ａでは、低温側圧縮機１ａから、中間熱交換器５の低温側及び第２利用側熱交換器８、第１低温側膨張装置４ｃ及び熱源側熱交換器３を順次通過し、低温側圧縮機１ａへと戻る。
同様に高温側冷凍サイクル６ｂでは、高温側圧縮機１ｂで圧縮された高温側冷媒が、利用側熱交換器７、高温側膨張装置４ｂ及び中間熱交換器５の高温側を順次通過し、高温側圧縮機１ｂへと戻る。
このとき、中間熱交換器５の低温側と第２利用側熱交換器８に流入した高温高圧の低温側冷媒は凝縮し、中間熱交換器５の高温側を流動する高温側冷媒及び、第２利用側熱交換器８内を流動する。そして、中間熱交換器５の高温側では高温側膨張装置４ｂによって減圧された液状の冷媒が蒸発し、蒸発熱として低温側冷媒の凝縮熱を吸収する。また、第２利用側熱交換器８へ流入した水へ凝縮熱を供給し温湯を生成する。
そして、低温側冷媒は熱源側熱交換器３で蒸発し、送風機１１によって送風された室外空気と熱交換する。また、高温側冷媒は第１利用側熱交換器７において凝縮し、第１利用側熱交換器７内を流動する水に温熱を供給し高温の温湯を生成する。
【００１９】
さらに、第１利用側で高温の温湯を利用せず、第２利用側で低温の温湯のみを利用する場合の運転について、二元冷凍サイクル装置１００のそれぞれの冷媒の流れは図１の破線矢印のようになる。
制御器２３の指令により、第２低温側膨張装置４ｄが開放され、第１低温側膨張装置４ｃが閉鎖される。それぞれの開度は、第１利用側機器及び第２利用側機器の必要とする熱量に応じて変更される。
そして、図示しないインバータ装置から低温側圧縮機１ａに電力が供給され、低温側冷媒が圧縮される。
低温側冷凍サイクル６ａでは、低温側圧縮機１ａから、第２利用側熱交換器８、第２低温側膨張装置４ｄ、熱源側熱交換器３を順次通過し、低温側圧縮機１ａへと戻る。
低温側冷媒は熱源側熱交換器３で蒸発し、第２利用側熱交換器８で凝縮する。第２利用側熱交換器８内で凝縮した低温側冷媒の凝縮熱は、第２利用側配管１４を介して送水ポンプ１５により流動する温湯に吸収され、第２利用側側貯タンク１３へ貯湯される。
【００２０】
第２の実施形態の二元冷凍サイクル装置のように、第1膨張装置４ｃと第２膨張装置４ｄの開度を調節し流量制御手段とすることで、二元冷凍サイクル装置１００に設けられる部品点数が減少し、構造を簡略化し小型で、低コストの装置とすることができる。
【００２１】
（第３の実施形態）
上記第１、第２の実施形態の二元冷凍サイクル装置１００は、装置全体を保守するために筐体内に収納される。筐体は温湯を必要とする利用側の形態や、二元冷凍サイクル装置１００の形態によって形状がことなる。
二元冷凍サイクル装置１００は、熱源側筐体３１と利用側筐体３２の２つの筐体を有している。熱源側筐体３１には熱源側熱交換器３が収容されており、利用側筐体３２には第１利用側熱交換器と高温側圧縮機１ｂが収容されている。
【００２２】
このように構成された二元冷凍サイクル装置１００の熱源側筐体３１と利用側筐体３２を、建造物の屋外や屋内のように互いに異なる雰囲気中に設置することで、高温側圧縮機１ｂで圧縮された高温側冷媒が第１利用側熱交換器７内へ流動する際に、熱源側筐体３１の周囲温度に影響され、高温冷媒温度が低下することがなく、熱損失が少なく効率の良い二元冷凍サイクル装置とすることができる。
【００２３】
例えば、図３の二元冷凍サイクル装置１００は、利用側筐体３２に中間熱交換器５と第１利用側熱交換器７と第２利用側熱交換器８や、低温側圧縮機１ａ及び高温側圧縮機１ｂなどの大きなスペースを必要とし、重量の大きい主要部品が収納されている。これに対して、熱源側筐体３１には熱源側熱交換器３と送風機１１が収納されており、軽量で内容積を小さく抑えることができる。これにより、屋外スペースが制限されるような建築物であっても、熱源側筐体３１を容易に屋外へ設置することができ、熱源側熱交換器３を効率よく大気と熱交換させることができる。
【００２４】
また、図４の二元冷凍サイクル装置１００は、利用側筐体３２に中間熱交換器５と、代１利用側熱交換器７と、高温側圧縮機１ｂを収納しており、これに対して、熱源側筐体３１は、熱源側熱交換器３と第２利用側熱交換器８と、低温側圧縮機１ａを収納している。
これにより、第１利用側熱交換器７と第２利用側熱交換器８を別筐体に収容することで、第１利用側と第２利用側が離れた位置に設けられた場合に、第１利用側付近に利用側筐体３２を設置し、第２利用側付近に熱源側筐体３１を設置することにより、それぞれの利用側へ送流される温湯の熱損失を低減することができる。
【００２５】
また、図５の二元冷凍サイクル装置１００は、利用側筐体３２には第１利用側熱交換器７と高温側圧縮機１ｂが収容されており、これに対して、熱源側筐体３１には、熱源側熱交換器３と、中間熱交換器５と第２利用側熱交換器８と、低温側圧縮機１ａ及び高温側圧縮機１ｂを収容されている。
これにより、利用側筐体３２を小型にすることができ、設置スペースの狭い屋内などにおいても、容易に利用側筐体３２を設置することができる。
【００２６】
本発明は、上記実施形態に限定されない。さらに、本発明の実施の形態に開示されている複数の構成要素を適宜組み合わせることにより種々の発明を形成できる。例えば、本発明の実施の形態に示される全構成要素から幾つかの構成要素を削除してもよい。更に、異なる実施の形態に亘る構成要素を適宜組み合わせてもよい。
【符号の説明】
【００２７】
１ａ…低温側圧縮機、１ｂ…高温側圧縮機、３…熱源側熱交換器、４ａ…低温側膨張装置、４ｂ…高温側膨張装置、４ｃ…第１低温側膨張装置、４ｄ…第２低温側膨張装置、５…中間熱交換器、６ａ…低温側冷凍サイクル、６ｂ…高温側冷凍サイクル、７…第１利用側熱交換器、８…第２利用側熱交換器、１２ａ…中間熱交換器冷媒流量制御バルブ、１２ｂ…水熱交換器冷媒流量制御バルブ、２３…制御器、１００…二元冷凍サイクル装置
【図１】
2012215354.tif 000003
【図２】
2012215354.tif 000004
【図３】
2012215354.tif 000005
【図４】
2012215354.tif 000006
【図５】
2012215354.tif 000007